(57)【特許請求の範囲】
【請求項１】
車両バンパー（２０）を内部に収納可能であり、一面側に開口部（１３）が設けられた袋体（１０）からなる車両バンパー用包装材であって、
前記袋体（１０）は、少なくとも凹凸シート（１０１）と平坦シート（１０２、１０３）とが接合され、気体が密閉された多数の気泡部（１０４）が形成されている合成樹脂製気泡シート（１００）から構成されており、
前記開口部（１３）は、互いに対向する第１端部（１１）と第２端部（１２）との間に形成され、
前記第１端部（１１）と前記第２端部（１２）は、前記第１端部（１１）が前記第２端部（１２）の外側に位置するように重なり合っており、
前記第１端部（１１）には、前記第１端部（１１）を前記第２端部（１２）に貼付するための貼付部（１４）が設けられており、
前記貼付部（１４）の粘着面は保護部材で覆われており、
前記第１端部（１１）には、前記貼付部（１４）を横切るようにミシン目（１５）が設けられていることを特徴とする車両バンパー用包装材。
【請求項２】
前記袋体（１０）は、端部にマチが設けられたガゼット袋として構成されていることを特徴とする請求項１に記載の車両バンパー包装材。
【請求項３】
前記袋体（１０）は前記車両バンパー（２０）より充分に長くなっており、前記袋体（１０）に前記車両バンパー（２０）を収納した後で、前記車両バンパー（２０）の端部に対応する部位で前記袋体（１０）の端部が折曲げられるとともに、折曲げられた前記袋体（１０）の端部が固定手段により前記袋体（１０）の他の部位に固定されることを特徴とする請求項１または２に記載の車両バンパー包装材。
【請求項４】
前記袋体（１０）の内壁面における前記車両バンパー（２０）と接触する部位に、前記合成樹脂製気泡シート（１００）と同一の合成樹脂材料からなる不織布が貼合されていることを特徴とする請求項１ないし３のいずれか１つに記載の車両バンパー包装材。
【請求項５】
前記合成樹脂製気泡シート（１００）は、スーパーランダムポリプロピレンからなることを特徴とする請求項１ないし４のいずれか１つに記載の車両バンパー包装材。
【発明の詳細な説明】
【技術分野】
【０００１】
本発明は、車両用バンパーを包装するバンパー用包装材に関する。
【背景技術】
【０００２】
樹脂製の車両用バンパーは、例えば補修部品として輸送されることが多い。また、近年ではノックダウン生産のためにバンパーが他国に輸送されるケースも増加している。バンパーの輸送時には、バンパーを保護するために何らかの包装をする必要がある。このようなバンパー用包装材として段ボールを用いた包装箱が提案されている（特許文献１参照）。
【特許文献１】特開２００１−１９２０１７号公報
【発明の開示】
【発明が解決しようとする課題】
【０００３】
しかしながらバンパーは形状が複雑であるため、これを収納するための段ボール箱の容積が大きくなる。このため大きな収納スペースが必要となる上に積層し難く、保管時の収納効率や輸送時の積載効率が低いなどの問題がある。また、バンパー用包装材は使用後に廃棄されることが多いが、段ボール製の包装材はリサイクル性の面で好ましくない。
【０００４】
そこで本発明は、バンパーを包装した際に、できるだけ体積を小さくすることができ、かつ、リサイクル性に優れたバンパーの包装材を提供することを目的とする。
【課題を解決するための手段】
【０００５】
上記目的を達成するため、本発明の請求項１に記載の発明は、車両バンパー（２０）を内部に収納可能であり、一面側に開口部（１３）が設けられた袋体（１０）からなる車両バンパー用包装材であって、前記袋体（１０）は、少なくとも凹凸シート（１０１）と平坦シート（１０２、１０３）とが接合され、気体が密閉された多数の気泡部（１０４）が形成されている合成樹脂製気泡シート（１００）から構成されており、前記開口部（１３）は、互いに対向する第１端部（１１）と第２端部（１２）との間に形成され、前記第１端部（１１）と前記第２端部（１２）は、前記第１端部（１１）が前記第２端部（１２）の外側に位置するように重なり合っており、前記第１端部（１１）には、前記第１端部（１１）を前記第２端部（１２）に貼付するための貼付部（１４）が設けられており、前記貼付部（１４）の粘着面は保護部材で覆われており、前記第１端部（１１）には、前記貼付部（１４）を横切るようにミシン目（１５）が設けられていることを特徴としている。
【０００６】
合成樹脂製気泡シート（１００）は柔軟性を有するので、車両用バンパーの形状に応じて変形することができ、包装された状態の車両バンパーをコンパクトにすることができるとともに、積層しやすい。このため、包装された状態の車両バンパーの収納スペースを削減することができる。また、合成樹脂製気泡シート（１００）は、リサイクル性に優れている。
【０００７】
また、本発明の車両バンパー用包装材では、袋体（１０）に車両バンパー（２０）を収納した後で、貼付部（１４）から保護部材を剥がし、ミシン目（１５）を切り離して、貼付部（１４）により第１端部（１１）を第２端部（１２）に貼り付けて開口部（１１）を閉鎖状態にするという簡易な作業で車両バンパー（２０）を包装することができる。このため、短時間で効率よく車両バンパーを包装することができ、作業性に優れている。さらに、ミシン目（１５）で第１端部（１１）を複数に分離できるので、車両バンパー（２０）の複雑な形状に対応させやすいという利点がある。
【０００８】
また、第１端部（１１）が予め分離されている構成の場合には、第１端部（１１）から保護部材を剥がす動作を複数回行う必要となるが、本発明のように第１端部（１１）にミシン目（１５）を設けることで、保護部材を剥がしてから第１端部（１１）を分離することができ、保護部材を剥がす動作を１回行うだけでよい。これにより、車両バンパー包装材で車両バンパー（２０）を包装する際の作業性を向上させることができる。
【０００９】
また、請求項２に記載の発明では、前記袋体（１０）は、端部にマチが設けられたガゼット袋として構成されていることを特徴としている。これにより、袋体（１０）の容量を大きくすることができ、体積の大きい車両バンパー（２０）を収納可能となる。
【００１０】
また、請求項３に記載の発明では、前記袋体（１０）は前記車両バンパー（２０）より充分に長くなっており、前記袋体（１０）に前記車両バンパー（２０）を収納した後で、前記車両バンパー（２０）の端部に対応する部位で前記袋体（１０）の端部が折曲げられるとともに、折曲げられた前記袋体（１０）の端部が固定手段により前記袋体（１０）の他の部位に固定されることを特徴としている。これにより、衝撃に弱い車両バンパー（２０）の両端部分を適切に保護することができる。
【００１１】
また、請求項４に記載の発明では、前記袋体（１０）の内壁面における前記車両バンパー（２０）と接触する部位に、前記合成樹脂製気泡シート（１００）と同一の合成樹脂材料からなる不織布が貼合されていることを特徴としている。これにより、車両バンパー（２０）を車両バンパー用包装材で包装した際に、車両バンパー（２０）における袋体（１０）の内壁面に気泡シート（１００）の気泡部（１０４）の配置パターンが転写されることを防止できる。
【００１２】
また、請求項５に記載の発明では、前記合成樹脂製気泡シート（１００）は、スーパーランダムポリプロピレンからなることを特徴としている。これにより、耐摩耗製を確保しつつ柔軟性も確保することができる。
【００１３】
なお、上記各手段の括弧内の符号は、後述する実施形態に記載の具体的手段との対応関係を示すものである。
【発明を実施するための最良の形態】
【００１４】
以下、本発明の一実施形態について図１〜図３に基づいて説明する。
【００１５】
図１は本実施形態のバンパー用包装材の構成を示しており、（ａ）は斜視図、（ｂ）は（ａ）のＡ−Ａ断面図である。図１（ａ）に示すように、バンパー用包装材は袋体１０から構成されている。
【００１６】
袋体１０は、合成樹脂製気泡シート１００から構成されている。図２（ａ）は合成樹脂製気泡シート１００の斜視図であり、図２（ｂ）は合成樹脂製気泡シート１００を分解した状態を示す斜視図である。
【００１７】
図２（ａ）、（ｂ）に示すように、気泡シート１００は合成樹脂製中空部材として構成されている。気泡シート１００は、凹凸シート１０１と、凹凸シート１０１の両面に接合された２枚の平坦シート１０２、１０３とからなる３層構造となっている。凹凸シート１０１には複数の中空状（例えば円柱状）の突起部１０１ａがエンボス加工されており、凹凸シート１０１の突起部先端側（図１の上側）に第１平坦シート１０２が接合されている。また、凹凸シート１０１の突起部開口側（図１の下側）には第２平坦シート１０３が接合され、これにより空気が封入された気泡部１０４が形成される。気泡シート１００は、柔軟性を有しており、気泡部１０４により緩衝効果に優れるので、包装材料として好適に用いることができる。
【００１８】
本実施形態では、気泡シート１００を構成する合成樹脂として、ポリエチレンやポリプロピレンといったポリオレフィン系樹脂を用いている。気泡シート１００は、本実施形態のように柔軟性が必要とされる場合には単位面積当り重量（目付重量）を３０〜３００グラム／ｍ2とすることが望ましい。車両バンパー用包装材は、大きな部材ゆえに車両バンパー２０を収納した状態で作業者が床を引きずるような状況も考えられる。この点が従来段ボールから気泡シート１００への切り替えを困難にしていたのも事実である。このため、気泡シート１００は、ポリエチレンより耐摩耗性にすぐれたポリプロピレンを重量比で６０％以上含有していることが望ましく、さらに目付重量を１００〜１５０グラム／ｍ2とすることが望ましい。また、ポリプロピレンの中で、柔軟性が高いスーパーランダムポリプロピレンを用いることで、耐摩耗製を確保しつつ柔軟性も確保することができる。
【００１９】
図１に戻り、袋体１０は長方形状の平袋として構成されている。袋体１０は、被包装物である車両用バンパーを収納可能な大きさであればよく、具体的寸法は車種に応じて適宜選択すればよい。袋体１０の対向する一対の長辺（図１（ａ）の手前側と奥側の辺）は半折り又は熱融着され、対向する一対の短辺（図１（ａ）の左右側の辺）は熱融着により２枚のシートが接合されている。
【００２０】
袋体１０の一方の面には、第１端部１１と第２端部１２との間に開口部１３が形成されている。第１端部１１と第２端部１２は、袋体１０の長辺と平行で、かつ、袋体１０の長辺と同じ長さとなっている。第１端部１１と第２端部１２は、互いに反対方向に向かうように対向して設けられている。第１端部１１と第２端部１２は、第１端部１１が第２端部１２の外側に位置するように重なり合っている。開口部１３は、袋体１０の一方の面において、中心から一方の長辺側（図１（ａ）の手前側、図１（ｂ）の左側）にずれた位置に設けられている。
【００２１】
第１端部１１には、第１端部１１を第２端部１２に貼付するための貼付部１４が設けられている。本実施形態の貼付部１４は両面テープ（粘着テープ）から構成されている。貼付部１４は、第１端部１１における第２端部１２に対向する位置に、第１端部１１の縁に沿って設けられている。使用前の貼付部１４は、粘着面に保護紙（保護部材）が貼付されている。
【００２２】
第１端部１１には、縁部に直交するようにミシン目１５が設けられており、ミシン目１５は貼付部１４を横切るように設けられている。ミシン目１５を切り離すことで、第１端部１１を複数の部位に分離することができる。本実施形態では４つのミシン目１５が設けられており、第１端部１１を５つの部位に分離することができる。
【００２３】
次に、本実施形態の車両バンパー包装材による車両バンパーの包装方法について説明する。図３は、車両バンパーの包装方法の手順を示す工程図である。
【００２４】
まず、車両バンパー用包装材を用意し、開口部１３から車両バンパー２０を袋体１０に挿入する（図３（ａ）（ｂ））。
【００２５】
次に、貼付部１４の粘着面から保護紙を剥がす。このとき、第１端部１１は分離されておらず、保護紙は１枚の紙となっており、１回の動作で保護紙を剥がすことができる。これにより、貼付部１４の粘着面が露出する。
【００２６】
次に、ミシン目１５を切り離す（図３（ｃ））。これにより、第１端部１１を複数の部位に分離することができる。そして、第１端部１１を車両バンパー２０に密着させ、貼付部１４で第２端部１２に貼り付け、開口部１３を閉鎖状態にする。このとき、第１端部１１が複数の部位に分離されているので、車両バンパー２０の複雑な形状に対応させやすいという利点がある。さらに、必要に応じて図示しないテープなどを用いて第１端部１１を第２端部１２に固定することで、より確実に車両バンパー２０を包装することができる。
【００２７】
以上説明した車両バンパー用包装材は、柔軟性を有する気泡シート１００から構成されているので、車両用バンパーの形状に応じて変形するので嵩張らず、包装された状態の車両バンパーの大きさが包装前より大幅に大きくなることがない。このため、本実施形態の車両バンパー包装材は、段ボール製包装材に比較して、包装された状態の車両バンパーをコンパクトにすることができるとともに、積層しやすい。このため、包装された状態の車両バンパーの収納スペースを削減することができる。また、本実施形態の車両バンパー包装材を構成する気泡シート１００は、段ボールに比べて滑りにくいので、安定的に積層することが可能となる。さらに、本実施形態の車両バンパー包装材を構成する気泡シート１００は、容易にリサイクルすることができ、環境面でも好ましい。
【００２８】
また、本実施形態の車両バンパー包装材は、開口部１３から車両バンパー２０を袋体１０の内部に収納し、貼付部１４の粘着面から保護紙を剥がし、ミシン目１５を切り離して、貼付部１４により第１端部１１を第２端部１２に貼り付けて開口部１１を閉鎖状態にするという簡易な作業で車両バンパー２０を包装することができる。このため、短時間で効率よく車両バンパーを包装することができ、作業性に優れている。
【００２９】
また、第１端部１１が予め分離されている構成の場合には、第１端部１１から保護紙を剥がす動作を複数回行う必要となるが、本実施形態のように第１端部１１にミシン目１５を設けることで、保護紙を剥がしてから第１端部１１を分離することができ、保護紙を剥がす動作を１回行うだけでよい。これにより、車両バンパー包装材で車両バンパー２０を包装する際の作業性を向上させることができる。
【００３０】
（第２実施形態）
次に、本発明の第２実施形態について説明する。
【００３１】
図４は、本実施形態の車両バンパー包装材の斜視図である。図４に示すように、本実施形態の袋体１０は、長辺にマチ１６が設けられたガゼット袋として構成されている。これにより、袋体１０の容量を大きくすることができ、体積の大きい車両バンパー２０を収納可能となる。
【００３２】
また、本実施形態の袋体１０は、車両バンパー２０より充分に長くなるように構成されている。さらに袋体１０の両端より若干内側には、短辺に沿って折曲げ部１７が設けられている。折曲げ部１７は、袋体１０に車両バンパー２０を収納した状態において、車両バンパー２０の端部に対応する位置に設ける。折曲げ部１７は、熱融着よりシールされており、袋体１０を折曲げやすくなっている。
【００３３】
図５は、本実施形態の車両バンパー包装材で車両バンパー２０を収納する状態を示している。図５（ａ）に示すように、袋体１０に車両バンパー２０を収納したときに、袋体１０の両端部分（折曲げ部１７より外側に位置する部分）が車両バンパー２０の両端部分よりはみ出る。このため、図５（ｂ）に示すように、袋体１０の両端部分をそれぞれ車両バンパー２０の両端部分で折り返してテープなどの図示しない固定手段で固定する。これにより、車両バンパー用包装材の両端で折曲げられた部分が二重になり、衝撃に弱い車両バンパー２０の両端部分を適切に保護することができる。本実施形態の袋体１０には、両端近傍に折曲げ部１７が設けられているので、袋体１０の折曲げ作業を容易に行うことができる。
【００３４】
（他の実施形態）
なお、上記実施形態では、貼付部１４を両面テープから構成したが、第１端部１１を第２端部１２に貼付することができるとともに、粘着面が保護部材で覆われていればよく、両面テープ以外の粘着手段を用いてもよい。
【００３５】
また、上記実施形態では、袋状部材１０、１１、シート状部材１２を構成する気泡シート１００を凹凸シート１０１の両面に２枚の平坦シート１０２、１０３を接合した３層品を用いたが、１枚の平坦シート１０２が凹凸シート１０１における突起部１０１ａの開口部側に接合された２層品を用いてもよい。
【００３６】
また、上記実施形態の車両バンパー用包装材で塗装済みの車両バンパー２０を包装する場合には、車両バンパー２０における袋体１０の内壁面と接触する部位に、気泡シート１００の気泡部１０４の配置パターンが転写されることがある。このため、上記実施形態の構成において、袋体１０の内壁面における車両バンパー２０と接触する部位に、不織布を貼合することが望ましい。この場合、合成樹脂製気泡シート１００と同一の合成樹脂材料からなる不織布を用いることで、リサイクルの際に分離する必要がない。
【図面の簡単な説明】
【００３７】
【図１】（ａ）は第１実施形態のバンパー用包装材の斜視図であり、（ｂ）は（ａ）のＡ−Ａ断面図である。
【図２】（ａ）は合成樹脂製気泡シートの斜視図であり、（ｂ）は合成樹脂製気泡シートを分解した状態を示す斜視図である。
【図３】車両バンパーの包装方法の手順を示す工程図である。
【図４】第２実施形態のバンパー用包装材の斜視図である。
【図５】第２実施形態の車両バンパー包装材で車両バンパーを収納する状態を示す斜視図である。
【符号の説明】
【００３８】
１０…袋体、１１…第１端部、１２…第２端部、１３…開口部、１４…貼付部、１５…ミシン目、１６…マチ、１７…折曲げ部、１００…合成樹脂製気泡シート。
【図１】
0005167951.tif 000002
【図２】
0005167951.tif 000003
【図３】
0005167951.tif 000004
【図４】
0005167951.tif 000005
【図５】
0005167951.tif 000006